(57)【要約】【課題】  パネル体の回転軸側の端部とこれに隣接する部材との間の隙間を小さくできる建具の提供。【解決手段】  パネル体５と、パネル体５と連結される被連結部材１７と、パネル体５と被連結部材１７とを連結する連結具１８を備え、パネル体５は、連結具１８側を支点として回動して開くものであり、連結具１８は、被連結部材１７に固定されるプレート１９と、パネル体５から突出する横移動軸２０及び前後移動軸２１とを有し、プレート１９は、横移動軸２０が係合する横方向の長孔２２と、前後移動軸２１が係合する前後方向の長孔２３を有し、パネル体５が開くにつれて横移動軸２０が横移動し前後移動軸２１が前後移動する。【選択図】      図９
2015166518.tif 000002
【特許請求の範囲】
【請求項１】
パネル体と、パネル体と連結される被連結部材と、パネル体と被連結部材とを連結する連結具を備え、パネル体は、連結具側を支点として回動して開くものであり、連結具は、被連結部材に固定されるプレートと、パネル体から突出する横移動軸及び前後移動軸とを有し、プレートは、横移動軸が係合する横方向の長孔と、前後移動軸が係合する前後方向の長孔を有し、パネル体が開くにつれて横移動軸が横移動し前後移動軸が前後移動することを特徴とする建具。
【発明の詳細な説明】
【技術分野】
【０００１】
本発明は、伸縮自在な扉を備える建具に関する。
【背景技術】
【０００２】
特許文献１には、パンタグラフ式リンク機構に複数枚のパネルを取付け、開閉時に各パネルが左右いずれか一方側の軸を支点として回動し、ルーバー状態にできる扉が開示されている。この扉は、各パネル７が吊元側の軸を支点に回動するようになっており、最も吊元側に位置するパネル７の吊元側端部は枠からのびるアームに軸支されているため、この軸の周囲にはパネル７の回転を許容するための隙間が必要であり、特許文献１の図４（ａ）及び図４（ｂ）に示すように、パネル７ａの吊元側端部と竪枠との間に、パネル７ａの回転を許容するための隙間９０が設けてある（本願の図１５参照）。そのため、外観意匠が良くない等の問題があった。
【先行技術文献】
【特許文献】
【０００３】
【特許文献１】特開２００９−２４９８８８号公報
【発明の概要】
【発明が解決しようとする課題】
【０００４】
本発明は以上に述べた実情に鑑み、パネル体の回転軸側の端部とこれに隣接する部材との間の隙間を小さくできる建具の提供を目的とする。
【課題を解決するための手段】
【０００５】
上記の課題を達成するために請求項１記載の発明による建具は、パネル体と、パネル体と連結される被連結部材と、パネル体と被連結部材とを連結する連結具を備え、パネル体は、連結具側を支点として回動して開くものであり、連結具は、被連結部材に固定されるプレートと、パネル体から突出する横移動軸及び前後移動軸とを有し、プレートは、横移動軸が係合する横方向の長孔と、前後移動軸が係合する前後方向の長孔を有し、パネル体が開くにつれて横移動軸が横移動し前後移動軸が前後移動することを特徴とする。
【発明の効果】
【０００６】
請求項１記載の発明による建具は、被連結部材とパネル体とを横移動軸と前後移動軸の２軸構造の連結具で連結し、パネル体が開くにつれて横移動軸が横移動し前後移動軸が前後移動することで、開閉時に被連結部材とパネル体の位置を可変することが可能になるため、全閉時の被連結部材とパネル体の間の隙間を小さくでき、且つ全開時にパネル体と被連結部材が当たるのを回避できる。
【図面の簡単な説明】
【０００７】
【図１】（ａ）は扉を全閉した状態での拡大横断面図であり、（ｂ）は換気時の状態での拡大横断面図である。
【図２】本発明の建具の第１実施形態を示す正面図である。
【図３】図２のＡ−Ａ位置における断面図であって、（ａ）は扉を全閉した状態、（ｂ）は換気時の状態、（ｃ）は扉を全開した状態を示す。
【図４】図２のＢ−Ｂ位置における断面図であって、（ａ）は扉を全閉した状態、（ｂ）は換気時の状態、（ｃ）は扉を全開した状態を示す。
【図５】図２のＣ−Ｃ断面図である。
【図６】図２のＤ−Ｄ断面図である。
【図７】扉の戸先側を室内側から見た拡大正面図であって、扉を全閉した状態を示す。
【図８】扉の戸先側を室内側から見た拡大正面図であって、換気時の状態を示す。
【図９】引手框とパネル体との連結部を拡大して示す平面図であって、扉が開くにつれて横移動軸と前後移動軸が移動する様子を示している。
【図１０】パネル体同士の隙間の部分を拡大して示す横断面図であって、扉が閉まるにつれて室外側ガスケットと室内側ガスケットとが接近し、当接する様子を示している。
【図１１】第１実施形態の建具の変形例を示す横断面図であって、（ａ）は扉を全閉した状態、（ｂ）は換気時の状態、（ｃ）は扉全開時の状態を示す。
【図１２】本発明の建具の第２実施形態を示す横断面図であって、（ａ）は扉を全閉した状態、（ｂ）は換気時の状態を示す。
【図１３】第２実施形態の建具において、扉を全開した状態の横断面図である。
【図１４】連結具の他の実施形態を示す引手框とパネル体との連結部を拡大して示す平面図であって、（ａ）は扉全閉時の状態、（ｂ）は扉が僅かに開いた状態、（ｃ）は扉がさらに開いた状態を示す。
【図１５】特許文献１の図４（ａ）及び図４（ｂ）の吊元側拡大図である。
【発明を実施するための形態】
【０００８】
以下、本発明の実施の形態を図面に基づいて説明する。図１〜１０は、本発明の建具の第１実施形態であって、住宅の外壁にくっつけて設置されるガーデンルーム１０の側面の開口部に適用したものを示している。本建具は、図２に示すように、上枠１と下枠２と竪枠３，４とで構成される開口部に、４枚のパネル体５，５，…で伸縮自在に構成された扉６を取付けたものである。
【０００９】
扉６は、図２，３に示すように、上部と下部とにパンタグラフ式のリンク機構７を備えている。リンク機構７は、図３に示すように、一対のバー状のリンク構成部材８ａ，８ｂを中間部で中間軸９により交差状に軸支したものを、連結軸１１ａ，１１ｂで連結して構成してある。リンク機構７の戸尻側端部の軸１２は、上枠１と下枠２とに金具で固定してある。図５に示すように、上部のリンク機構７の室内側の連結軸１１ａには吊車１３が取付けてあり、下部のリンク機構７の室内側の連結軸１１ａにはスライダー１４が取付けてあり、吊車１３は上枠１に設けられた上レール１５に案内され、スライダー１４は下枠２に設けられた下レール１６に案内されている。パネル体５は、一対のリンク構成部材８ａ，８ｂのうちの一方のリンク構成部材８ａに取付けられている。したがって扉６は、図３，４に示すように、リンク機構７が伸縮するのに伴い、各パネル体５，５，…が戸先側（室内側から見て左側）の連結軸１１ａを支点に回動して開閉する。扉６を全閉したときには、図３（ａ）、図４（ａ）に示すように、リンク機構７が一直線になり、各パネル体５，５，…が面一状となる。
【００１０】
扉６の戸先側端部には、図１〜３に示すように、扉６を開閉操作するための引手框１７が設けてある。引手框１７は、図７，９に示すように、上下端部をパネル体５と連結具１８で連結してある。連結具１８は、引手框１７の上下端部に取付けられるプレート１９と、パネル体５の上下面から突出する横移動軸２０及び前後移動軸２１とを備えている。プレート１９には、横移動軸２０が係合する横方向の長孔２２と、前後移動軸２１が係合する前後方向の長孔２３が設けてある。前後方向の長孔２３は、横方向の長孔２２の長さ方向の略中央部の室外側に配置されており、前後方向に対してまっすぐではなく、室外側に向かうにつれて戸尻側（室内側から見て右側）に傾けて設けてある。仮に、前後移動軸２１の位置が固定された状態でパネル体５が回動しようとすると、図９（ａ）に示すように、横移動軸２０は前後移動軸２１を中心とする円弧２４上を移動することになるが、横移動軸２０は横方向の長孔２２により戸尻側にまっすぐ移動するように規制されているため、この円弧２４が横方向の長孔２２から最も離れる距離Ｙ分だけ前後移動軸２１が前後方向に動けるように、前後方向の長孔２３が設けてある。横移動軸２０には、図７に示すように、吊車１３とスライダー１４が取付けられ、吊車１３は上枠１の上レール１５に、スライダー１４は下枠２の下レール１６に案内されている。
【００１１】
扉６が全閉した状態では、図９（ａ）に示すように、横移動軸２０は横方向の長孔２２の戸先側（室内側から見て左側）の端部に位置し、前後移動軸２１は前後方向の長孔２３の室内側の端部に位置している。引手框１７を戸尻側に移動して扉６を開けると、図９（ｂ）に示すように、それにつれて横移動軸２０は横方向の長孔２２内を戸尻側に移動し、前後移動軸２１は前後方向の長孔２３内を室外側に移動する。横移動軸２０及び前後移動軸２１が移動するのに伴い、パネル体５も開放方向に回転しながら戸尻側及び室外側に移動するため、パネル体５と引手框１７との干渉を避けることができる。このとき、前後方向の長孔２３が室外側に向かうにつれて戸尻側に傾けて設けてあることで、パネル体５の戸先側端部が戸尻側に若干移動するから、パネル体５の戸先側端部が引手框１７と干渉するのをより確実に避けることができる。扉６を全開した状態では、図９（ｃ）に示すように、横移動軸２０は横方向の長孔２２の戸尻側端部まで移動し、前後移動軸２１は前後方向の長孔２３内で室内側に向かって少し戻る。
また、扉６が全開した状態から引手框１７を戸先側に移動して扉６を閉めると、横移動軸２０は横方向の長孔２２内を戸先側に移動し、前後移動軸２１は前後方向の長孔２３内を室内方向に移動する。横移動軸２０及び前後移動軸２１が移動するのに伴い、パネル体５も閉鎖方向に回転しながら戸先側及び室内側に移動するため、閉鎖状態においてパネル体５の戸先側端部と引手框１７とを隣接させ、隙間２５を小さくすることができる。
【００１２】
上述のように本扉６は、引手框１７とパネル体５とを横移動軸２０と前後移動軸２１の２軸構造の連結具１８で連結し、パネル体５が開くにつれて横移動軸２０が戸尻側に移動し、前後移動軸２１が前後移動することで、開閉時に引手框１７とパネル体５の位置を可変することが可能になるため、図９（ａ）に示すように、全閉時に引手框１７とパネル体５の間の隙間２５を小さくできる。これにより、扉６の外観意匠が向上すると共に、引手框１７とパネル体５との隙間２５から雨水等が浸入するのを防ぐことができる。なお、パネル体５の戸先側端部には、後述する室内側ガスケット２６が設けてあり、扉６の全閉時には室内側ガスケット２６が引手框１７の室内側に当接して、引手框１７とパネル体５間が水密される。また、パネル体５の戸先側端部が戸尻側に移動しながらパネル体５が回動するため、図９（ｃ）に示すように、全開時にパネル体５と引手框１７が当たるのを回避できる。さらに、前後方向の長孔２３を室外側に向かうにつれて戸尻側に傾けて設けたことで、図９（ｂ）に示すように、扉６が開く途中でパネル体５の戸先側端部が引手框１７と干渉することもない。
【００１３】
図１４は、連結具１８の他の実施形態を示している。本実施形態の連結具１８は、前後方向の長孔２３が、室内側の端部に戸先側に向けて膨らむように曲がった曲がり部５１を有している。それ以外の点は、図９のものと同じである。
扉６が開き始める際、パネル体５が横移動軸２０を支点として回動するためには、前後移動軸２１が図１４（ａ）中の矢印５２の方向に動く必要がある。本実施形態の連結具１８は、前後方向の長孔２３の室内側端部に戸先側に膨らむ曲がり部５１を設けたことで、図１４（ｂ）に示すように、扉６が開き始めるときに前後移動軸２１が曲がり部５１に移動することにより、パネル体５が横移動軸２０を支点として回動する（図９のものでは、前後移動軸２１を支点に回動しようとする。）。横移動軸５１は、リンク機構７の室内側の連結軸１１ａと見込み方向の同じ位置にあって（図３参照）、リンク機構７の室外側の連結軸１１ｂとの間の見込み方向の距離が前後移動軸２１よりも広いため、横移動２０が支点となることでリンク機構７がより軽い力で縮む。よって、本実施形態のものは、図９のものよりも扉６が開き始めるときの操作力をより軽くできる。扉６が少し開いた後は、図１４（ｃ）に示すように、図９のものと同様に横移動軸２０が横方向の長孔２２内を戸尻側に、前後移動軸２１が前後方向の長孔２３内を室外側にそれぞれ移動して、パネル体５が横移動軸２０と前後移動軸２１の２軸を支点に回動する。
【００１４】
本建具は、図１に示すように、戸先框１７の先端に可動枠２８を有している。可動枠２８は、図６，７に示すように、上端部に吊車１３が、下端部にスライダー１４がそれぞれ設けてあり、吊車１３は上枠１の上レール１５に案内され、スライダー１４は下枠２の下レール１６に案内されている。上枠１と下枠２には、図１，６，７に示すように、可動枠２８の可動範囲を規制するストッパー２９が設けてあり、可動枠２８はストッパー２９に当接する位置まで戸尻側に移動できるようになっている。
図１（ａ）に示す扉６を全閉した状態では、可動枠２８は竪枠３の見込面３ａと引手框１７の見込面１７ａとに挟まれた位置にあり、その位置でフランス落し３０により固定できるようになっている。フランス落し３０は、図７に示すように、可動枠２８の室内側面に設けた操作部３１を操作することで、可動枠２８の上下端部よりロッド３２が出没するもので、突出したロッド３２が上枠１と下枠２に設けられた受け金具３３の孔に係合することで、可動枠２８を動かないようにロックするものである。
引手框１７には、図２，７に示すように、中間部に引手３４が設けてあると共に、その下方に錠３５が設けてある。錠３５は、室外側からは鍵を差し込んで操作し、室内側からはサムターンで操作することで、引手框１７の戸先側の見込面より鎌が出没し、鎌が可動枠２８の戸尻側の見込面に設けた錠受けに係脱するものである。そして、扉６を全閉状態とし、可動枠２８をフランス落し３０によりロックし、錠３５を施錠状態とすることで、扉６が全閉状態でロックされる。
【００１５】
竪枠３は、図１に示すように、見込面の室外側に戸尻側に向けて突出する板状の隙間隠し部３６を有している。隙間隠し部３６は、可動枠２８の横幅と略同じ長さ戸尻側に突出しており、図１（ａ）に示す扉６を全閉した状態では、可動枠２８の室外側に重なっている。
【００１６】
本建具は、先に説明したように扉６を全閉した状態でロックできる他、図１（ｂ）に示すように、扉６を人が出入りできない範囲で開けた状態でロックし、防犯性を確保しながら換気を行える機能を備えている。そのようにするときの手順を説明すると、まず、引手框１７の錠３５は施錠されたままの状態で、可動枠２８のフランス落し３０を解除する。次に、引手框１７の引手３４に手を掛け、引手框１７を戸尻側に移動させる。すると、引手框１７と一緒に可動枠２８も戸尻側に移動し、可動枠２８がストッパー２９に当たる位置まで移動してストップする。そうして引手框１７が戸尻側に移動するのに伴い、各パネル体５，５，…が戸先側の軸を支点として室外側に回動して開く。その後、可動枠２８のフランス落し３０の操作部３１を操作してロッド３２を突出させ、図８に示すように、ロッド３２を上下枠１，２の受け金具３３の孔に係合させる。これにより、可動枠２８が移動した位置でロックされ、可動枠２８と引手框１７とは錠３５により施錠されているため、扉６が図１（ｂ）に示すように少し開いた状態でロックされる。
扉６を全開するときには、可動枠２８のフランス落し３０は施錠状態のままで引手框１７の錠３５のみを解錠し、図３（ｃ）と図４（ｃ）に示すように、引手框１７を可動枠２８と分離して戸尻側に移動させる。
【００１７】
上記のように扉６を少し開いた状態でロックすると、パネル体５同士の間に隙間３７ができ、その隙間３７を通じて換気が行える。このとき、図１（ｂ）に示すように、竪枠３と引手框１７との間の隙間３８が、竪枠３の隙間隠し部３６と可動枠２８とで隠れているので、室外側から竪枠３と引手框１７の間から手を入れてフランス落し３０や錠３５を解除することはできず、したがって換気を行いつつ防犯性を確保することができる。竪枠３と引手框１７との間に可動枠２８を設け、扉６の全閉時及び全開時には可動枠２８は竪枠３の隙間隠し部３６と重なり、扉６を少し開けた状態で固定するときには可動枠２８を引手框１７と共に戸尻側に移動させ、竪枠３と引手框１７との間の隙間３８を竪枠３の隙間隠し部３６と可動枠２８とで隠すようにしたことで、扉６を全開にしたときの有効開口Ｗ（図４（ｃ）参照）を広くすることができる。また、扉６を全閉したときに扉６と隙間隠し部３６とが重ならないため、扉６のパネル体５をガラス戸にしたとしてもガラス越しに隙間隠し部３６が見えるなどの不都合が生じない。
【００１８】
上述の換気状態とする際の扉６の開ける量は、人が出入りできない範囲であればよいが、隣接するパネル体５同士の隙間３７の広さが、腕が入らない程度の隙間３７となるように設定することが好ましい。そうすることで、パネル体５同士の隙間３７から腕を入れてフランス落し３０や錠３５を不正に解除されるのを防ぐことができる。実施形態のものは、換気状態のときのパネル体５同士の隙間３７が、約２８ｍｍとなるように換気時の扉６の開き量を設定している。
【００１９】
図１１は、第１実施形態の建具の変形例を示している。この例では、隙間隠し部３６を、縦枠３ではなく可動枠２８に設けている。隙間隠し部３６は、可動枠２８の戸先側の見込面から室外側に突出させた上で、戸先側に向かってのびており、図１１（ａ）に示す扉６の全閉時と、図１１（ｃ）に示す扉６の全開時には、隙間隠し部３６は縦枠３の室外側の見付面と重なっている。図１１（ｂ）に示す換気時の状態では、縦枠３と引手框１７との隙間３８が隙間隠し部３６により隠される。このように、隙間隠し部３６を可動枠２８に設けた場合も、先の実施形態と同様に換気時の防犯性を確保でき、尚且つ扉６全開時の有効開口を広くできる効果がある。
なお、可動枠２８は省略することができ、その場合は隙間隠し部３６を引手框１７に設けることができる。
【００２０】
扉６の各パネル体５は、図１，２，５に示すように、上框３９と下框４０と竪框４１ａ，４１ｂとを框組みし、その内側にガラス等のパネル４９を嵌め込んで構成してある。戸先側の竪框４１ａは、図１，１０に示すように、外周側の見込面の室内側の位置に室内側ガスケット２６が室外側に向けて設けてあり、戸尻側の竪框４１ｂは、外周側の見込面の室外側の位置に室外側ガスケット２７が室内側に向けて設けてある。室内側ガスケット２６は、中空部４２ａと、中空部４２ａの室外側端部より室外側に突出して設けたヒレ片４３ａを有している。室外側ガスケット２７は、中空部４２ｂと、中空部４２ｂの室内側端部より室内側に突出して設けたヒレ片４３ｂを有している。
扉６が全閉した状態では、図１０（ｃ）に示すように、室内側ガスケット２６と室外側ガスケット２７とが見込方向に重なり合い、両ガスケット２６，２７のヒレ片４３ａ，４３ｂ同士が当接し、これによりパネル体５，５間の水密性が確保される。また、扉６の全閉状態で、室内側ガスケット２６とこれに隣接する戸尻側の竪框４１ｂの見込面との間には隙間４４ａがあり、室外側ガスケット２７とこれに隣接する戸先側の竪框４１ａの見込面との間には隙間４４ｂがある。
【００２１】
本扉６は、各パネル体５，５，…が戸先側の軸を支点に回動して開閉するため、図１０に示すように、扉６が閉まる際にパネル体５の戸先側端部と、これに隣接するパネル体５の戸尻側端部とが、見込み方向から接近する。そこで本扉６では、パネル体５の見込面にガスケットを押し付けるのではなく、戸先側の竪框４１ａに室内側ガスケット２６を、戸尻側の竪框４１ｂに室外側ガスケット２７をそれぞれ設け、扉６の全閉時に室内側ガスケット２６と室外側ガスケット２７が見込み方向に重なり合うことで、パネル体５，５間の水密性が良好となる。さらに、室内側ガスケット２６と室外側ガスケット２７とにヒレ片４３ａ，４３ｂをそれぞれ設け、ヒレ片４３ａ，４３ｂ同士が当接することにより、水密性がより一層確実なものとなり、尚且つガスケット２６，２７同士が擦れて扉６を閉じ切る際に抵抗が生じたりすることもない。また、室内側ガスケット２６と室外側ガスケット２７に中空部４２ａ，４２ｂが設けてあることで、パネル体５，５間に指などを挟んでも、けがをするのを防ぐことができる。
【００２２】
リンク構成部材８ａ，８ｂ同士を連結する室外側の連結軸１１ｂは、図３（ａ）に示すように、扉６の全閉状態で扉６よりも室外側に突出した位置に配置されている。そのため、扉６を全閉した状態から扉６を開けるために、引手框１７に戸尻側に向けて力４５を加えると、前記連結軸１１ｂに室外側に蹴り出す力４６が働き、これにより扉６を開け始めるときの力を小さくできる。
【００２３】
上枠１の室外側面には、図５に示すように、庇４７が室外側に張り出して設けてある。庇４７の室外側に張り出す長さは、図１（ｂ）に示すように、換気時の状態における扉６の見込み幅に対応して設定されている。したがって、換気時の状態のときに扉６の上方が庇４７で覆われるため、雨が室内に落ちるのを防ぐことができる。
【００２４】
図１２，１３は、本発明の建具の第２実施形態を示している。本実施形態では、扉６の戸尻側端部に換気時操作用の引手框４８が設けてあり、その引手框４８にリンク機構７の戸尻側端部の軸１２を連結してある。換気時操作用の引手框４８は、第１実施形態における可動枠２８と同様に、例えば上下枠１，２に設けたストッパー２９により、可動範囲が縦枠４と引手框４８の間から人が出入りできない所定の範囲に制限されている。扉６の戸先側には、可動枠２８を設けていない。扉６を全開するときには、図１３に示すように、戸先側の引手框１７を戸尻側に操作する。
換気時には、図１２（ｂ）に示すように、戸尻側端部の換気時操作用の引手框４８に手を掛けてストッパー２９に当たる位置まで戸先側に移動させると、扉６が少し開いた状態となり、引手框４８は移動した位置でフランス落し３０により固定できるようにしてある。戸尻側の竪枠４には隙間隠し部５０が戸先側に突出して設けてあり、引手框４８と竪枠４との隙間３８が隙間隠し部５０により隠れる。これにより、パネル体５，５間の隙間３７を通じて換気を行いつつ、防犯性を確保できる。本実施形態によれば、戸先側には隙間隠し部３６も可動枠２８も不要であり、戸尻側の隙間隠し部５０は、図１３に示すように、扉６の全開時には邪魔にならないので、有効開口Ｗを広くできる。
【００２５】
隙間隠し部５０は、図１１に示すように、換気時操作用の引手框４８に設けることもできる。また隙間隠し部５０は、省略することもできる。隙間隠し部５０を省略したとしても、換気時操作用の引手框４８は可動範囲を人が出入りできない範囲に制限されているため、換気時に換気時操作用の引手框４８と縦枠４との間の隙間３８から侵入されることがなく、錠３５を不正に解錠されることもないから、防犯性を確保できる。
【００２６】
本発明は以上に述べた実施形態に限定されない。扉は、パネル体が室内側に回動するものであってもよい。パネル体やリンク機構等の構成は、適宜変更することができる。前後方向の長孔は、パネル体が被連結部材と干渉することなく回転及び移動できる配置であれば、必ずしも前後方向に対して傾いていなくてもよい。連結具によりパネル体と連結される被連結部材は、引手框ではなく竪枠や横枠等であってもよい。また扉は、実施形態のようにルーバー式に開閉するものの他、折戸のように開閉するものであってもよい。開閉操作用の引手框を扉の戸尻側端部に設けたり、換気時操作用の引手框を扉の戸先側端部に設けることもできる。可動枠と隙間隠し部は、省略することもできる。また隙間隠し部は、扉側に設けることもできる。本発明の建具は、ガーデンルームに限らず、あらゆる建物、簡易構造物等の開口部に適用することができる。
【符号の説明】
【００２７】
１  上枠
２  下枠
３  竪枠（戸先側）
４  竪枠（戸尻側）
５  パネル体
６  扉
１７  引手框（被連結部材）
１８  連結具
１９  プレート
２０  横移動軸
２１  前後移動軸
２２  横方向の長孔
２３  前後方向の長孔
２６  室内側ガスケット
２７  室外側ガスケット
２８  可動枠
３６  隙間隠し部
４８  換気時操作用の引手框
５０  隙間隠し部
【図１】
2015166518.tif 000003
【図２】
2015166518.tif 000004
【図３】
2015166518.tif 000005
【図４】
2015166518.tif 000006
【図５】
2015166518.tif 000007
【図６】
2015166518.tif 000008
【図７】
2015166518.tif 000009
【図８】
2015166518.tif 000010
【図９】
2015166518.tif 000011
【図１０】
2015166518.tif 000012
【図１１】
2015166518.tif 000013
【図１２】
2015166518.tif 000014
【図１３】
2015166518.tif 000015
【図１４】
2015166518.tif 000016
【図１５】
2015166518.tif 000017